(57)【要約】【課題】リンクプレートと、短尺ピンの片当たりを防止し、耐久性の高い伝動用無端ベルトを提供する。【解決手段】リンクプレート１，１’が、長尺ピン２及び短尺ピン３からなる分割ピン２，３により無端状に連結される。長尺ピン２にリテーナ４が軸方向位置決めされて装着され、該リテーナの当接部４ａが、短尺ピン３の端面３ａと対向して短尺ピン３の軸方向移動を規制する。リテーナ４にはリンクプレート１，１’に向かって突出した突出部４ｂが設けられ、最外側リンクプレート１に当接する。これにより、短尺ピン３に対するリンクプレートの移動範囲が規制され、短尺ピン３の隅アール部Ｒがピン孔１ｂと接触せずに、短尺ピン３とピン孔１ｂとは全面接触する。【選択図】図２
2008208926.tif 000002
【特許請求の範囲】
【請求項１】
多数のリンクプレートと、互いに接触する転がり面を有する長尺ピン及び短尺ピンからなる分割ピンと、を備え、前記リンクプレートを前記分割ピンにて無端状に連結し、プーリのシーブ面に前記長尺ピンが当接して伝動力伝達してなる、伝動用無端ベルトにおいて、
前記長尺ピンに嵌挿しかつ軸方向位置を規制されて装着され、該長尺ピンに対する前記リンクプレートの幅方向位置を規制するリテーナを備え、
前記リテーナは、前記長尺ピンと共に前記分割ピンを構成する短尺ピンの端面と当接する当接部と、該当接部の当接平面に対して前記リンクプレート側に突出し、最外側の前記リンクプレートに当接する突出部と、を有してなる、
ことを特徴とする伝動用無端ベルト。
【請求項２】
前記リテーナは、前記長尺ピンに圧入して軸方向位置を規制されてなる、
請求項１記載の伝動用無端ベルト。
【請求項３】
前記リテーナは、前記突出部と軸方向の反対方向に突出し、前記シーブ面に当接して該リテーナの軸方向位置を前記リンクプレートの幅方向の正規な規制位置に保持する整合部を有する、
請求項１又は２記載の伝動用無端ベルト。
【請求項４】
前記リテーナは、プレート状部材からなり、該プレート状部材をプレスにより折曲して前記突出部及び前記整合部を形成してなる、
請求項３記載の伝動用無端ベルト。
【請求項５】
前記リテーナは、前記突出部を前記伝動用無端ベルトの前記分割ピンに対する上下方向に配置し、前記整合部を前記伝動用無端ベルトの前記分割ピンに対する長手方向に配置してなる、
請求項３又は４記載の伝動用無端ベルト。
【請求項６】
前記分割ピンにて連結されている前記リンクプレートの互いに密着されている状態の全幅をＡ、前記短尺ピンの長さをＢ、左右の前記リテーナの前記当接平面間隔をＣ、左右前記リテーナの前記突出部間隔をＤ、１枚の前記リンクプレートの厚さをｔ、前記短尺ピンの端面の隅アール部の軸方向長さをｒ、とすると、
Ａ＜Ｄ＜Ｂ＜Ｃ、
２ｒ＜Ｃ−Ｄ＜ｔ、
２ｒ＜Ｄ−Ａ＜ｔ
の関係を満たすように設定されてなる
請求項１記載の伝動用無端ベルト。
【発明の詳細な説明】
【技術分野】
【０００１】
本発明は、ベルト式無段変速機に用いられる伝動用無端ベルトに係り、詳しくはリンクプレートを分割ピンにより連結してなる伝動用無端ベルトに関する。
【背景技術】
【０００２】
近時、自動車に搭載されるトランスミッションとしてベルト式無段変速機が注目されている。該無段変速機の伝動用無端ベルトとして、リンクプレートを連結ピンにより連結したリンク式ベルトがあり、該リンク式ベルトにおいて連結ピンを分割ピンとして、各リンクの屈曲に際して、各リンクに対して固定されている各分割ピンが転がり接触して摩擦抵抗を軽減したものが知られている。
【０００３】
上記リンク式ベルトは、各連結ピンが無段変速機のプライマリ及びセカンダリの各プーリのシーブ面に接触して動力伝達するが、ピンとシーブ面との接触に起因する騒音の発生を低減するため、各分割ピンを長尺ピンと短尺ピンとにより構成し、長尺ピンのみをシーブ面に当接するものも知られている。
【０００４】
従来、上記長尺ピン及び短尺ピンからなる分割ピンを用いた伝動用無端ベルトにおいて、長尺ピンに抜止め用のリテーナを軸方向移動不能（圧入又はスナップリング様の溝係合）により装着すると共に、該リテーナに、短尺ピンの端面と当接し得る当接部を一体に形成して、分割ピンがリンクプレートから抜き出ることを防止した技術が本出願人により提案されている（特許文献１参照）。
【０００５】
【特許文献１】国際公開番号ＷＯ２００５／０６８８７４  Ａ１
【発明の開示】
【発明が解決しようとする課題】
【０００６】
上記リテーナ４は、図１０に示すように、長尺ピン２に軸方向移動不能に装着されると共に、その当接部４ａにより短尺ピン３の端面３ａを押えている。しかし、リンク式ベルトからなる伝動用無端ベルトは、交互に連結される各リンクプレート１，１’間に各リンクプレートが相対回動して自由に屈曲運動するために所定隙間（公差）が必要であり、図１１に示すように、各リンクプレート１，１’が一方に寄ると、短尺ピン３の端面３ａに形成される隅アール部Ｒの存在と相俟って、一方側の最外側リンクプレート１のピン孔１ｂと短尺ピン３との接触が全面接触とならず、該リンクプレート１と短尺ピン３との片当りが生じ、リンクプレート、ひいては伝動用無端ベルトの耐久性を低下する虞がある。
【０００７】
なお、図１０において、Ｂは短尺ピン３の長さ、Ａは隙間がない状態での全リンクプレート１，１’の全幅、Ｃは長尺ピン２に装着された左右両リテーナ４，４の内幅間隔であり、Ｂ−Ａが上記所定隙間（公差）で、リテーナ間隔Ｃが短尺ピン３の長さＢに近い方が望ましい。従って、例え上記公差が０であっても、ピンの隅アール部Ｒの存在により、最外リンクプレートのピン孔１ｂと短尺ピン３の端部分とは全面接触とはならない。
【０００８】
また、上記特許文献１には、（図４参照）、リテーナをシーブ壁面に接する実施例が記載されており、リテーナが長尺ピンから外れる方向にずれた場合でも、シーブ壁面に当接した際に長尺ピンの内方に押し戻されて、リテーナを常に正規の位置に保持する旨が記載されている。
【０００９】
しかし、該リテーナは、断面台形状の中実部材から構成されており、製造が面倒であると共に重量も大きなものになってしまう。
【００１０】
そこで、本発明は、リテーナにより長尺ピンは勿論、短尺ピンの抜止めを図ったものでありながら、簡単な構成でもって、常に短尺ピンとリンクプレートのピン孔とが全面で接触し、上述した課題を解決した伝動用無端ベルトを提供することを目的とするものである。
【課題を解決するための手段】
【００１１】
請求項１に係る発明は、多数のリンクプレート（１，１’）と、互いに接触する転がり面（２ｄ、３ｄ）を有する長尺ピン（２）及び短尺ピン（３）からなる分割ピン（２，３）と、を備え、前記リンクプレート（１，１’）を前記分割ピン（２，３）にて無端状に連結し、プーリのシーブ面（２１）に前記長尺ピン（２）が当接して伝動力伝達してなる、伝動用無端ベルトにおいて、
前記長尺ピン（２）に嵌挿しかつ軸方向位置を規制されて装着され、該長尺ピン（２）に対する前記リンクプレートの幅方向位置を規制するリテーナ（４）を備え、
前記リテーナ（４）は、前記長尺ピン（２）と共に前記分割ピン（２，３）を構成する短尺ピン（３）の端面（３ａ）と当接する当接部（４ａ）と、該当接部（４ａ）の当接平面に対して前記リンクプレート側に突出し、最外側の前記リンクプレート（１）に当接する突出部（４ｂ）と、を有してなる、
ことを特徴とする伝動用無端ベルトにある。
【００１２】
請求項２に係る発明（例えば図２参照）は、前記リテーナ（４）は、前記長尺ピン（２）に圧入して軸方向位置を規制されてなる、
請求項１記載の伝動用無端ベルトにある。
【００１３】
請求項３に係る発明（例えば図６〜図８参照）は、前記リテーナ（４）は、前記突出部（４ｂ）と軸方向の反対方向に突出し、前記シーブ面（２１）に当接して該リテーナ（４）の軸方向位置を前記リンクプレート（１，１’）の幅方向の正規な規制位置に保持する整合部（４ｃ）を有する、
請求項１又は２記載の伝動用無端ベルトにある。
【００１４】
請求項４に係る発明（例えば図７、図８参照）は、前記リテーナは、プレート状部材からなり、該プレート状部材をプレスにより折曲して前記突出部（４ｂ）及び前記整合部（４ｃ）を形成してなる、
請求項３記載の伝動用無端ベルトにある。
【００１５】
請求項５に係る発明（例えば図７、図８参照）は、前記リテーナ（４）は、前記突出部（４ｂ）を前記伝動用無端ベルトの前記分割ピン（２，３）に対する上下方向に配置し、前記整合部を前記伝動用無端ベルトの前記分割ピン（２，３）に対する長手方向に配置してなる、
請求項３又は４記載の伝動用無端ベルトにある。
【００１６】
請求項６に係る発明（例えば図９参照）は、前記分割ピン（２，３）にて連結されている前記リンクプレート（１，１’）の互いに密着されている状態の全幅をＡ、前記短尺ピン（３）の長さをＢ、左右の前記リテーナ（４）の前記当接平面間隔をＣ、左右前記リテーナ（４）の前記突出部（４ｂ）間隔をＤ、１枚の前記リンクプレート（１，１’）の厚さをｔ、前記短尺ピン（３）の端面（３ａ）の隅アール部（Ｒ）の軸方向長さをｒ、とすると、
Ａ＜Ｄ＜Ｂ＜Ｃ、
２ｒ＜Ｃ−Ｄ＜ｔ、
２ｒ＜Ｄ−Ａ＜ｔ
の関係を満たすように設定されてなる、
請求項１記載の伝動用無端ベルトにある。
【発明の効果】
【００１７】
請求項１に係る発明によると、短尺ピンが抜ける方向である軸方向外側に移動しても、リテーナの当接平面が、短尺ピンの端面に接触して、短尺ピンの抜けを防止するものでありながら、当接部の当接平面に対してリンクプレート側に突出する突出部が、最外側のリンクプレートに当接することによってリンクプレートとの軸方向の相対的なズレを所定範囲内に規制して、常に確実にリンクプレートのピン孔に短尺ピンを全面で接触する。これにより、リンクプレートのピン孔に対する短尺ピンの片当たりを回避し、リンクプレートひいては伝動用無端ベルト全体の耐久性を向上させることができる。
【００１８】
請求項２に係る発明によると、リテーナを長尺ピンに圧入して軸方向位置を規制することにより、リテーナを、突出部がリンクプレートと当接する位置まで圧入して長尺ピンに装着することで、リテーナを適正な組み付け位置に装着することが可能になり、組付け作業性が向上する。
【００１９】
請求項３に係る発明によると、リテーナに突出部と反対方向に突出する整合部を設けることにより、リテーナが長尺ピンから抜ける方向である軸方向外側に移動しても、整合部がプーリのシーブ面に当接する面に、リテーナを長尺ピン内方に押し戻すことにより、リテーナを適正位置に補正して、リテーナ、長尺ピン、短尺ピン及びリンクプレートの軸方向関係を常に適正に保持することができる。
【００２０】
請求項４に係る発明によると、リテーナを一枚のプレート状部材から構成して、プレスにより突出部及び整合部を一体に成形することができ、比較的簡単な構成で、安価に製造することができると共に、重量の軽量化を図ることができる。また、単一部品として構成され、部品点数の削減によるコストダウンを図ることが可能となる。
【００２１】
請求項５に係る発明によると、リンクプレートと接触する突出部を分割ピンに対して上下方向に配置することによって、突出部とリンクプレートとの当接を確実にし、またプーリのシーブ面と当接する整合部を分割ピンに対して長手方向に設けることにより、整合部が確実にかつ均等にシーブ面と接触可能となり、簡単な構成でもって、正確かつ確実なリテーナを構成して信頼性の高い伝動用無端ベルトを得ることができる。
【００２２】
請求項６に係る発明によると、所定の寸法条件を満たすことにより、常にリンクプレートのピン孔に短尺ピンを全面接触して高い耐久性と信頼性を有すると共に、滑らかな屈曲と大きなトルク容量を有する伝動用無端ベルトを提供することができる。
【発明を実施するための最良の形態】
【００２３】
以下に図面に基づいて本発明に係る無段変速機に使用される伝動用無端ベルトについて説明する。
【実施例１】
【００２４】
図１及び図２に示すように、伝動用無端ベルトは、多数のリンクプレート１、１’が連結ピン２、３により交互に連結されて、無端状に構成されている。長手方向に隣接する各リンクプレート１、１’は、上記連結ピン２，３にて互いに屈曲してリンク式ベルトを構成する。上記連結ピンは、分割ピン２，３からなり、各リンクに各分割ピン２又は３が回転不能に連結されると共に、各分割ピン２，３が互いに転がり面２ｄ、３ｄにて転がり接触している。
【００２５】
該伝動用無端ベルトは、ベルト式無段変速機のプライマリプーリとセカンダリプーリとの間に巻掛けられて用いられる。上記分割ピン２，３は、一方が軸方向に長い長尺ピン２からなり、他方が軸方向に短い短尺ピン３からなり、長尺ピン２の両端面２ａ，２ａは斜めに傾斜して、上記プライマリ及びセカンダリプーリのシーブ面２１に接触して動力を伝達する。
【００２６】
前記各リンクプレート１，１’は、図１（ｂ）に詳示するように、４隅が丸められた略々長方形の同形状からなる板状部材であり、その長手方向両端近傍において分割ピン２，３を挿入する一対の挿入孔１０が設けられている。挿入孔１０は、リンクプレート１，１’の両端に別々に設けられても良いが、本実施例では、当該一対の挿入孔１０を連通する形でリンクプレート１，１’の軽量化のための一個の孔１１にて形成されている。
【００２７】
長尺ピン２には、図２に示すように、リテーナ４が圧入により軸方向移動不能に装着されており、該リテーナ４は、図１（ｂ）に示すように、板状部材の中心部に長尺ピン２の横断面よりも僅かに小さい孔４ｆが設けられたリング形状をしている。また、リテーナ４は、短尺ピン３と軸方向に対向するように設けられており、該リテーナ４の対向する部分が、短尺ピン３の端面３ａと当接することにより短尺ピン３の抜止めをする当接部４ａを構成する。
【００２８】
更に、リテーナ４の下端部（図１（ａ）において紙面垂直方向、図１（ｂ）において紙面上下方向）には、当接部４ａの当接平面ａから最外側リンクプレート１に向かって突出した突出部４ｂが設けられており、リンクプレート１，１’と分割ピン２，３との軸方向の相対移動を規制する。
【００２９】
次に本実施例に係る伝動用無端ベルトの各部の位置関係について説明する。図９において、Ａは、リンクプレート１，１’が互いに密着している状態での全幅を、Ｂは、短尺ピン３の軸方向の長さを示しており、該リンクプレート１，１’の全幅Ａは、短尺ピン３の全長Ｂよりも短く構成される（Ａ＜Ｂ）。一方、長尺ピン２の両端部に位置決めされたリテーナ４の当接部４ａの当接平面ａの間隔をＣ、該当接平面ａからリンクプレート１，１’に向かって突出する突出部４ｂの突出量をＥ、該突出部４ｂの間隔をＤ、として示している。当接平面間隔Ｃは、短尺ピン３の全長Ｂよりも長く構成されるが、突出部４ｂの間隔Ｄは、短尺ピンの全長Ｂよりも短くなる（Ｄ＜Ｂ＜Ｃ）。よって、伝動用無端ベルト全体の軸方向長さ関係は、リンクプレート全幅Ａ＜突出部間隔Ｄ＜短尺ピン全長Ｂ＜当接平面間隔Ｃとなる。
【００３０】
即ち、短尺ピン３は、リテーナ４の当接平面ａに当接するまでの間隔Ｃ−Ｂだけ軸方向に移動し得、リンクプレート１，１’は、突出部４ｂにて軸方向移動が規制され、その移動範囲はＤ−Ａとなり、該移動範囲Ｄ−Ａは、各リンクプレート１，１’が自由に屈曲し得る公差を構成する。なお、突出部４ｂの突出量Ｅと、当接平面間隔Ｃと突出部間隔Ｄとの関係は、Ｅ＝（Ｃ−Ｄ）／２となる。
【００３１】
そして、突出量Ｅの突出部４ｂによる長尺ピン２に対するリンクプレートの移動量（Ｄ−Ａ）は、両突出量２Ｅ（＝Ｃ−Ｄ）より小さく、かつ該突出量が短尺ピン３の両端の隅アール部Ｒの両軸方向長さ２ｒより大きいことにより、短尺ピン３の隅アール部Ｒがピン孔１ｂ内に位置しない。また、上記公差である移動範囲Ｄ−Ａは、一枚のリンクプレート１の板厚ｔより短く設定される。即ち
２ｒ＜Ｃ−Ｄ＜ｔ、
２ｒ＜Ｄ−Ａ＜ｔ、となり、好ましくは、
２ｒ＜Ｃ−Ｄ＜Ｄ−Ａ＜ｔ
となる。
【００３２】
この関係を満たすことにより、公差によりリンクプレート１，１’が自由に屈曲しても、ピン孔１ｂが短尺ピン３の隅部に位置することがなく、短尺ピン３の外周面は、常にリンクプレートのピン孔１ｂに全面接触する。また、公差Ｄ−Ａが板厚ｔより大きい場合、更にリンクプレートを増やしてトルク容量を大きくすればよいので、公差は、板厚ｔより小さくする設計が合理的である。
【００３３】
また、短尺ピン３に設けられた隅アール部Ｒの軸方向の長さｒと、リンクプレート全幅Ａとの和は、短尺ピン全長Ｂよりも短く設定され（Ａ＋ｒ＜Ｂ）、更に隅アール部Ｒの長さｒは、突出部４ｂの突出量Ｅよりも短く、かつ該突出部４ｂの突出量Ｅは、リンクプレート１，１’の一枚の厚さｔよりも短く構成されている。
【００３４】
なお、伝動用無端ベルトは、リテーナ４を長尺ピン２の外側から圧入して、短尺ピン３の両端面３ａに当接した位置を圧入位置とすることにより、容易にリテーナの保持位置を位置決めすることが出来る。この際、図２に示すように、上記当接平面間隔Ｃは、短尺ピン３の全長Ｂと略々等しくなる。
【００３５】
上記のように伝動用無端ベルトを構成したことにより、短尺ピン３が軸方向外側に抜けそうになると、リテーナ４の当接平面aが短尺ピン３の端面３aと接触する。また、リテーナ４の突出部４ｂが、短尺ピン３の隅アール部Ｒの長さｒよりも長くリンクプレート１，１’に向けて突出しているため（ｒ＜Ｅ）、リンクプレート１，１’は、軸方向所定範囲（Ｂ−２ｒ）に規制され位置している。
【００３６】
よって、短尺ピン３は、リテーナ４の当接部４ａにより軸方向に抜け止めされると同時に、公差によるリンクプレート１，１の軸方向の移動及び隅アール部Ｒに基づく、リンクプレートのピン孔１ｂに対する短尺ピン３の片当たりを回避し、リンクプレート１，１しいては伝動用無端ベルト全体の耐久性を向上させること可能となる。
【００３７】
また、図２のようにリテーナ４の当接部４ａと、短尺ピン３の端面が当接する場合においても、リテーナ４に突出部４ｂを設けることによって、リンクプレート１，１’のピン孔１ｂが隅アール部Ｒ上に配置され、短尺ピン３に対して片当たりすることはない。
【００３８】
なお、上述した数式の不等号は、論理的に僅かな差であって略々同じ長さの、即ち実質的に等号を含むものであり、これら数式関係は、他の実施例においても同様である。
【実施例２】
【００３９】
図３は、本発明の実施例２に係る伝動用無端ベルトを示すものである。この実施例は、実施例１におけるリテーナ４の長尺ピン２への固定方法を変更したものであり、リテーナ４を溝係合することによって、長尺ピン２へと固定する構成である。以下に実施例１の構成と相違する部分について説明する。
【００４０】
長尺ピン２の両端近傍には、溝３０が設けられており、リテーナ４が短尺ピン３と対向するように該溝３０に嵌め込まれて、係合している。リテーナ４は、拡径方向に弾性変形可能なスナップリング様に構成され、Ｃ字形状の中央部分が当接部を構成すると共に、長尺ピン２に対して回り止めされている。また、リテーナ４の下端部からは、リンクプレート１，１’に向けて突出して突出部４ｂが設けられている。
【００４１】
リテーナ４は溝３０に嵌め込まれる形で長尺ピン２に装着されているため、圧入される場合と比較してリテーナ４の長尺ピン２に対しての軸方向のズレを確実に防止できると共に、より安定的に実施例１の効果を享受することが出来る。
【実施例３】
【００４２】
図４は、本発明の実施例３に係る伝動用無端ベルトを示すものであり、左右両端のリテーナ４を、連結部材４ｄにより連結して構成したものである。以下に先の実施例と相違する構成について説明する。
【００４３】
長尺ピン２の両端には、ピン断面を一部縮径したリテーナ嵌めこみ部２ｂが設けられており、このリテーナ嵌め込み部２ｂと、長尺ピン２の通常径部分との径の違いによる段差２ｃによって、リテーナ４を、軸方向に位置規制する構成となっている。
【００４４】
リテーナ４は、可撓性部材（例えば板ばね）からなる連結部材４ｄによってリンクプレート１，１’を軸方向に跨いで連結してなり、矩形の側板４ｅには、長尺ピン２のリテーナ嵌めこみ部２ｂの断面形状に対応した挿通孔が設けられている。該矩形の側板４ｅの当接部４ａは、短尺ピン３と対向して、設けられており、その下端部からは、突出部４ｂがリンクプレート１，１’に向かって突出している。
【００４５】
なお、リテーナ４は、上述した段差２ｃに限らず、圧入（図２参照）又はスナップリング（図３参照）等の他の固着手段により長尺ピンに固着してもよい。また、この挿通孔は必ずしも長尺ピン２の断面形状と対応した形状の必要はなく、がたつきなく長尺ピン２に固定されればよい。更に側板４ｅも矩形である必要は無く、楕円のリング状等に構成しても良い。
【００４６】
上記構成により、リテーナ４は、長尺ピン２に対してがたつきなく固定され、確実に突出部４ｂによってリンクプレート１，１’を軸方向所定範囲に規制して位置させることが出来ると共に、実施例１の効果を安定的に享受することが可能となる。また、リテーナ４が一部品で構成されるため、部品点数の削減に繋がる。
【実施例４】
【００４７】
図５は、本発明の実施例４に係る伝動用無端ベルトを示すものである。この実施例は、実施例３における長尺ピン２の形状を変更したものであり、長尺ピン２の両端に設けたリテーナ嵌め込み部２ｂをテーパ状に構成とするものである。以下に先の実施例４と相違する構成について説明する。
【００４８】
長尺ピン２の両端に設けられたリテーナ嵌め込み部２ｂには、軸内方から軸外方につれて縮径するように、テーパ部ロが設けられている。長尺ピン２の通常径部分の横断面よりも小さい嵌入孔を有するリテーナ４は、該テーパ部ロの径の変化によって軸方向位置を規制して設けられる。
【００４９】
これにより、実施例３の効果を享受出来ると共に、軸外方に進むにつれて、長尺ピン２は、径が小さくなるため、リテーナ４を長尺ピン２のリテーナ嵌め込み部２ｂへ取付けすることが容易となる。また、リテーナ４の両端に位置する矩形の板状部材４ｅは、リテーナ嵌め込み部２ｂのテーパ部ロの傾斜に沿って互いに軸外側に移動しようとし、平衡するので、リテーナ４は、常に適正位置に補正される。それにより、最外側リンクプレート１と、リテーナの突出部４ｂとの間に不必要な接触がなく、突出部４ｂ及び最外側リンクプレート１の当接面の磨耗を軽減することが出来る。
【実施例５】
【００５０】
図６（ａ）、（ｂ）は、本発明の実施例５に係る伝動用無端ベルトを示すものである。この実施例は、実施例１におけるリテーナ４の左右両端部にプーリのシーブ面２１と当接する整合部４ｃを設け、該リテーナ４を常に適正位置へと補正するものである。以下に先の実施例と相違する構成について説明する。
【００５１】
リテーナ４は、図６（ａ）、（ｂ）に示すように一枚のプレートからなり、中央部に設けた挿入孔１３を長尺ピン２に圧入することによって軸方向に位置規制されて設けられている。また、該リテーナ４は、その下端部にリンクプレート１，１’に向けて突出する突出部４ｂを備え、左右両端部に突出部４ｂとは逆に突出した整合部４ｃを備えて構成されている。
【００５２】
この整合部４ｃには、プーリのシーブ面２１と対応する傾斜又はアール面を有する当接面イが設けられ、該当接面イがシーブ面２１と接触することにより、リテーナ４を軸方向内側に付勢し、リテーナ４の長尺ピン２からの抜けを防止することが出来る。また、リテーナ４をプーリのシーブ面２１からの付勢力によって、常に最適な位置に保持することが可能となる。
【００５３】
更に、突出部４ｂは、リテーナ４の下端部のみに設けられることによって、簡単な構成でリンクプレート１，１’の軸方向位置を規制することが出来る。
【実施例６】
【００５４】
図７（ａ）、（ｂ）及び図８は、実施例６に係るリテーナ４の構造を示すものである。該リテーナ４には、上下両端部に、板状部材であるリンクプレート４を折曲させてリンクプレート方向に突出する二つの突出部４ｂ、４ｂが設けられている。また、その左右両端部から、プーリのシーブ面に向かって突出し、該シーブ面と対応する傾斜を有した当接面イがシーブ面と当接する整合部４ｃ、４ｃも設けられている。
【００５５】
突出部４ｂ、４ｂがリテーナの上下両端部に設けられたことにより、より確実にリンクプレートの軸方向位置を片当たりが生じない所定範囲に規制することができると共に、突出部４ｂ、４ｂ及び整合部４ｃ、４ｃをプレス加工により板状部材であるリテーナ４を折曲させて構成したことにより、簡易で安価かつ軽量に突出部４ｂ、４ｂ及び整合部４ｃ、４ｃをリテーナ４に設けることが可能となる。
【図面の簡単な説明】
【００５６】
【図１】（ａ）は、本実施例１に係る伝動用無端ベルトの部分平面図、（ｂ）は、同ベルトの部分側面図。
【図２】実施例１に係る伝動用無端ベルトのプーリ巻掛け部の部分断面図。
【図３】実施例２に係る伝動用無端ベルトのプーリ巻掛け部の部分断面図。
【図４】実施例３に係る伝動用無端ベルトのプーリ巻掛け部の部分断面図。
【図５】実施例４の一部変更例を示す伝動用無端ベルトのプーリ巻掛け部の部分断面図。
【図６】（ａ）は、実施例５に係る伝動用無端ベルトの部分側面図、（ｂ）は、同ベルトのプーリ巻掛け部の部分断面図。
【図７】（ａ）は、実施例６に係るリテーナの正面図、（ｂ）は、同リテーナの側面図。
【図８】実施例６に係るリテーナの斜視図。
【図９】各部の寸法をあらわした本伝動用無端ベルトのプーリ巻掛け部の部分断面図。
【図１０】従来例に係る伝動用無端ベルトのプーリ巻掛け部の部分断面図。
【図１１】同ベルトのリンクプレートが偏向した際のプーリ巻掛け部の部分断面図。
【符号の説明】
【００５７】
１，１’    リンクプレート
１          最外側リンクプレート
２          長尺ピン
２ｄ、３ｄ  転がり面
３          短尺ピン
２，３      分割ピン
３ａ        端面
４          リテーナ
４ａ        当接部
４ｂ        突出部
４ｃ        整合部
２１        シーブ面
Ａ          リンクプレートの全幅
Ｂ          短尺ピンの長さ
Ｃ          リテーナの当接平面間隔
Ｄ          左右リテーナの突出部間隔
Ｅ          当接平面から突出部先端までの長さ
Ｒ          隅アール部
ｔ          一枚のリンクプレートの厚さ
ｒ          短尺ピンの端面の隅アール部軸方向長さ
【図１】
2008208926.tif 000003
【図２】
2008208926.tif 000004
【図３】
2008208926.tif 000005
【図４】
2008208926.tif 000006
【図５】
2008208926.tif 000007
【図６】
2008208926.tif 000008
【図７】
2008208926.tif 000009
【図８】
2008208926.tif 000010
【図９】
2008208926.tif 000011
【図１０】
2008208926.tif 000012
【図１１】
2008208926.tif 000013
【手続補正書】
【提出日】平成19年3月15日(2007.3.15)
【手続補正１】
【補正対象書類名】明細書
【補正対象項目名】０００６
【補正方法】変更
【補正の内容】
【０００６】
上記リテーナ４は、図１０に示すように、長尺ピン２に軸方向移動不能に装着されると共に、その当接部４ａにより短尺ピン３の端面３ａを押えている。しかし、リンク式ベルトからなる伝動用無端ベルトは、交互に連結される各リンクプレート１，１’間に各リンクプレートが相対回動して自由に屈曲運動するために所定隙間（公差）が必要であり、かつ製作上の部品公差としても生じる。図１１に示すように、各リンクプレート１，１’が一方に寄ると、短尺ピン３の端面３ａに形成される隅アール部Ｒの存在と相俟って、一方側の最外側リンクプレート１のピン孔１ｂと短尺ピン３との接触が全面接触とならず、該リンクプレート１と短尺ピン３との片当りが生じ、リンクプレート、ひいては伝動用無端ベルトの耐久性を低下する虞がある。
【手続補正２】
【補正対象書類名】明細書
【補正対象項目名】００３１
【補正方法】変更
【補正の内容】
【００３１】
そして、突出量Ｅの突出部４ｂによる長尺ピン２に対するリンクプレートの移動量（Ｄ−Ａ）及び両突出量２Ｅ（＝Ｃ−Ｄ）が、一枚のリンクプレート１の板厚ｔより小さく、短尺ピン３の両端の隅アール部Ｒの両軸方向長さ２ｒより大きいことにより、短尺ピン３の隅アール部Ｒはピン孔１ｂ内に位置しない。また、突出量Ｅの突出部４ｂによる長尺ピン２に対するリンクプレートの移動量（Ｄ−Ａ）は、両突出量２Ｅ（＝Ｃ−Ｄ）より大きいことが好ましい。即ち
２ｒ＜Ｃ−Ｄ＜ｔ、
２ｒ＜Ｄ−Ａ＜ｔ、となり、好ましくは、
２ｒ＜Ｃ−Ｄ＜Ｄ−Ａ＜ｔ
となる。
【手続補正３】
【補正対象書類名】明細書
【補正対象項目名】００４０
【補正方法】変更
【補正の内容】
【００４０】
長尺ピン２の両端近傍には、溝３０が設けられており、リテーナ４が短尺ピン３と対向するように該溝３０に嵌め込まれて、係合している。リテーナ４は、拡径方向に弾性変形可能なスナップリング様に構成され、Ｃ字形状の中央部分が当接部を構成すると共に、長尺ピン２に対して回り止めされている。また、リテーナ４の下端部からは、リンクプレート１，１’に向けて突出して突出部４ｂが設けられている。なお、リテーナ４は、樹脂からなるＯリング等の他のものを用いても良い。